(57)【要約】【課題】材料の無駄が少なく、腹側及び背側の適切な形状を両方有する使い捨て下着及びその製造方法を提供する。【解決手段】使い捨て下着１は、腹部材２及び背部材３を分離して伸展した状態で、腹部材２の股側縁１０の左半分及び右半分が夫々、背部材３の股側縁１１の右半分及び左半分と同じ形状であり、腹部材２の股側縁１０の左半分及び右半分が夫々、中心線Ｃ１について対称であると共に、中心線Ｃ１よりも各左右端部２ａ，２ｂの方に近寄った位置で腰側縁７に最も近づいているように窪んだ形状である左凹ライン１０ｂ及び右凹ライン１０ｄを有し、背部材３の股側縁１１の左半分及び右半分が夫々、中心線Ｃ１について対称であると共に、各左右端部３ａ，３ｂよりも中心線Ｃ１の方に近寄った位置で腰側縁８から最も離れているように突出した形状である左凸ライン１１ｂ及び右凸ライン１１ｄを有する。【選択図】図２
2017176658.tif 000002
【特許請求の範囲】
【請求項１】
腹部材と、該腹部材の左右端部に夫々接合される左右端部を有する背部材と、該腹部材及び該背部材の両中央部に接合される股部材とを備える使い捨て下着において、
該腹部材及び該背部材は夫々、少なくとも左右方向に伸縮する弾性体を有し、
該腹部材及び該背部材を分離して伸展した状態で、
該腹部材の股側縁の左半分が該背部材の股側縁の右半分と同じ形状であり、
該腹部材の該股側縁の右半分が該背部材の該股側縁の左半分と同じ形状であり、
該腹部材の該股側縁の左半分及び右半分は夫々、該腹部材の中心線について対称であると共に、該中心線よりも該各左右端部の方に近寄った位置で該腹部材の腰側縁に最も近づいているように窪んだ形状である左凹ライン及び右凹ラインを有し、
該背部材の該股側縁の左半分及び右半分は夫々、該背部材の中心線について対称であると共に、該背部材の該各左右端部よりも該中心線の方に近寄った位置で該背部材の腰側縁から最も離れているように突出した形状である左凸ライン及び右凸ラインを有することを特徴とする使い捨て下着。
【請求項２】
該腹部材の該腰側縁及び該股側縁間の距離は、該腹部材の該左右端部の位置よりも該腹部材の中心線の位置の方が長いことを特徴とする請求項１に記載の使い捨て下着。
【請求項３】
該腹部材の該腰側縁及び該股側縁間の距離は、該腹部材の該左右端部の位置と該腹部材の中心線の位置とで等しいことを特徴とする請求項１に記載の使い捨て下着。
【請求項４】
該股部材は、該背部材の該股側縁の該左右凸ラインの夫々の最も該腰側縁から離れた部分の少なくとも一部に重なっていることを特徴とする請求項１に記載の使い捨て下着。
【請求項５】
少なくともウェブ流れ方向に伸長される弾性体を間に挟んで内側ウェブ及び外側ウェブを接合して積層ウェブを形成し、
該使い捨て下着の該腹部材又は該背部材のいずれかの該股側縁を１周期としてウェブ流れ方向に連続する切断線に沿って該積層ウェブを切断して、該腹部材の連続する半ウェブと該背部材の連続する半ウェブとに分け、
該腹部材の連続する半ウェブ又は該背部材の連続する半ウェブを、ウェブ幅方向に移動させると共にウェブ流れ方向に半周期ずらして、１周期毎の該腹部材及び該背部材を対向させ且つ離間させ、
両該半ウェブの１周期毎の該腹部材及び該背部材に各該股部材を接合し、
各該股部材を折り曲げながら両該ウェブを重ね合わせて、各周期の該腹部材及び該背部材を各左右端部で接合し、
接合した該腹部材及び該背部材を１周期毎に切断して使い捨て下着を形成することを特徴する
請求項１に記載の使い捨て下着の製造方法。
【発明の詳細な説明】
【技術分野】
【０００１】
本発明は、使い捨て下着、特に使い捨てのパンツ型のおむつや吸収パッドホルダー、及び、使い捨て下着の製造方法に関する。
【背景技術】
【０００２】
パンツ型の使い捨て下着は、上部に腰開口部を有し、下部に左右の脚開口部を有する。このようなパンツ型使い捨て下着を連続的に製造する方法として従来知られている方法は、使い捨て下着の材料であるウェブを切り抜いて脚開口部を形成するため、廃材を生じる。このような材料の無駄を減らしてパンツ型使い捨て下着を連続的に製造する方法が、従来の幾つかの特許文献に提案されている。
【０００３】
特許文献１に開示されるパンツ型使い捨ておむつの製造方法では、走行するシート状のウェブに、一対の並行する脚周り弾性部材が、ウェブ中心線に沿ったサインカーブ形状に接合される。該ウェブが、該一対の脚周り弾性部材の間で、該サインカーブ形状に切断されて、２つの半ウェブに分けられる。２つの該半ウェブが、ウェブ流れ方向と直交する方向に離間される。２つの該半ウェブに、ウェブ流れ方向の半周期毎に、吸収パッド部材が、腹側と背側の向きを交互に逆にして接合される。該パッド部材を折って２つの該半ウェブが重ね合わされ、流れ方向の半周期毎に接合される。両該半ウェブが該接合部付近毎に切断され、使い捨て下着が形成される。
特許文献１のこのような製造方法では、パンツ型使い捨て下着が腹側と背側の向きを交互に逆にして連続的に製造されるので、該使い捨て下着の向きを揃えるには手間を必要とする。また、特許文献１のパンツ型使い捨て下着は、シート部材を２つに切断して形成される腹部材及び背部材の両股側縁全体の形状が同じであるため、腹部材に適切な形状及び背部材に適切な形状を両方実現することが困難である。特に、特許文献１のパンツ型使い捨て下着は、腹部材の股側縁と腰側縁との間の距離が左右端部から中央に向かうに従って小さくなり、通常のパンツ型下着とは異なる、着用者に馴染みのない形状となってしまう。
【０００４】
特許文献２に開示されるパンツ型使い捨て下着の製造方法では、第１シートの上に、幅方向の中心線付近に沿って、流れ方向に蛇行して延びる一対の並行する脚周り弾性部材が配置され、その上に第２シートを重ねて接合して、シート部材を形成する。該シート部材が、前記中心線付近に沿って蛇行して延びる該一対の脚周り弾性部材の間で切断されて、腹側シート部材と背側シート部材とに分けられる。腹側シート部材と背側シート部材とが、流れ方向と直交する方向に離間される。腹側シート部材と背側シート部材とに、流れ方向の１周期毎に、吸収体が接合される。該吸収体を折って腹側シート部材と背側シート部材とが重ね合わされ、流れ方向の１周期毎に接合され、該接合部付近毎に切断される。
特許文献２のこのような製造方法では、パンツ型使い捨て下着が同じ向きに連続的に製造される。しかし、腹側シート部材及び背側シート部材は、１周期毎に両者に接合された吸収体間の切断縁が流れ方向に対して蛇行し、且つ、該切断縁に沿った脚周り弾性部材も蛇行している。そのため、吸収体を接合された腹側シート部材及び背側シート部材を重ね合わせて接合するときに、腹側シート部材及び背側シート部材がそれぞれ弾性部材の収縮によって接合部の該切断縁側の端部の位置がずれたまま接合し、接合部にしわが生じる問題がある。また、特許文献２のパンツ型使い捨て下着は、シート部材を２つに切断して形成される腹部材及び背部材の両股側縁全体の形状が同じであるため、腹部材に適切な形状及び背部材に適切な形状を両方実現することが困難である。
【０００５】
特許文献３に開示されるパンツ型使い捨て下着の製造方法は、シート部材の幅方向の中心線よりも一方に片寄った位置で、１対の並行する脚周り弾性部材がシート部材の流れ方向に沿って蛇行して延びている点を除くと、特許文献２の方法と概ね同じである。この特許文献３の方法で製造されるパンツ型使い捨て下着も、シート部材を２つに切断して形成される腹部材及び背部材の両股側縁全体の形状が同じであるため、腹部材に適切な形状及び背部材に適切な形状を両方実現することが困難である。
【先行技術文献】
【特許文献】
【０００６】
【特許文献１】特許第３８６２５１０号公報
【特許文献２】特許第５８４８５０２号公報
【特許文献３】国際公開ＷＯ２００５／００７０５１Ａ１
【発明の概要】
【発明が解決しようとする課題】
【０００７】
本発明は、材料の無駄が少なく、腹側形状及び背側形状が共に適切である使い捨て下着を提供することを目的とする。また、本発明は、そのような使い捨て下着の製造方法を提供することを目的とする。
【課題を解決するための手段】
【０００８】
本発明の一態様は、腹部材と、該腹部材の左右端部に夫々接合される左右端部を有する背部材と、該腹部材及び該背部材の両中央部に接合される股部材とを備える使い捨て下着を提供する。該腹部材及び該背部材は夫々、少なくとも左右方向に伸縮する弾性体を有する。該腹部材及び該背部材を分離して伸展した状態で、該腹部材の股側縁の左半分が該背部材の股側縁の右半分と同じ形状であり、該腹部材の該股側縁の右半分が該背部材の該股側縁の左半分と同じ形状である。該腹部材の該股側縁の左半分及び右半分は夫々、該腹部材の中心線について対称であると共に、該中心線よりも該各左右端部の方に近寄った位置で該腹部材の腰側縁に最も近づいているように窪んだ形状である左凹ライン及び右凹ラインを有する。該背部材の該股側縁の左半分及び右半分は夫々、該背部材の中心線について対称であると共に、該背部材の該各左右端部よりも該中心線の方に近寄った位置で該背部材の腰側縁から最も離れているように突出した形状である左凸ライン及び右凸ラインを有する。
【０００９】
本発明の前記一態様の使い捨て下着の製造方法では、少なくともウェブ流れ方向に伸長される弾性体を間に挟んで内側ウェブ及び外側ウェブを接合して積層ウェブを形成する。該使い捨て下着の該腹部材又は該背部材のいずれかの該股側縁を１周期としてウェブ流れ方向に連続する切断線に沿って、該積層ウェブを切断して、該腹部材の連続する半ウェブと該背部材の連続する半ウェブとに分ける。該腹部材の連続する半ウェブ又は該背部材の連続する半ウェブを、ウェブ幅方向に移動させると共にウェブ流れ方向に半周期ずらして、１周期毎の該腹部材及び該背部材を対向させ且つ離間させる。両該半ウェブの１周期毎の該腹部材及び該背部材に各該股部材を接合する。各該股部材を折り曲げながら両該ウェブを重ね合わせて、各周期の該腹部材及び該背部材を各左右端部で接合する。接合した該腹部材及び該背部材を１周期毎に切断して、使い捨て下着を形成する。
【００１０】
本発明の更なる詳細、特徴、及び利点は、後述する好ましい例示的な実施形態についての図面を参照しながらの説明により明らかになる。
【図面の簡単な説明】
【００１１】
【図１】本発明の一実施形態の使い捨て下着の正面図である。
【図２】図１に示す使い捨て下着の展開図である。
【図３】図２に示す股部材のＩＩＩ−ＩＩＩ線に沿った断面図である。
【図４】図１に示す使い捨て下着の製造用の積層ウェブの一部を示す平面図である。
【図５】積層ウェブを切断して形成された２つの半ウェブがウェブ幅方向に離間されると共にウェブ流れ方向に半周期ずらして配置されたものを示す平面図である。
【図６】２つの半ウェブに股部材が接合されたものを示す平面図である。
【図７】股部材を折って２つの半ウェブが重ね合わされ、１周期毎に接合されたものを示す平面図である。
【図８】本発明の他の実施形態の使い捨て下着の正面図である。
【図９】図８に示す使い捨て下着の展開図である。
【図１０】図８に示す使い捨て下着の製造用の積層ウェブの一部を示す平面図である。
【発明を実施するための形態】
【００１２】
本発明の一の例示的な実施形態の使い捨て下着について、図面を参照して説明する。
図１は、本発明の一実施形態の使い捨て下着の正面図である。図２は、図１に示す使い捨て下着の展開図である。図１及び図２に示した使い捨て下着は、弾性体が収縮せずに、伸展した状態を示している。
図１又は図２に示すように、本実施形態の使い捨て下着１は、パンツ型の使い捨ておむつである。使い捨て下着１は、着用者の胴体の前側に位置する腹部材２と、着用者の胴体の後側に位置する背部材３と、腹部材２の内面側の中央部と背部材３の内面側の中央部とに接合され、着用者の股間に位置する股部材４とを備える。
【００１３】
腹部材２及び背部材３は、着用者の肌側に位置する内面シートと、着用者の衣服側に位置する外面シートとを、後述する弾性体１２，１３，１４，１５を間に挟んで、重ね合わせて接合して形成される。内面シート及び外面シートの材料は、不織布であるが、これに限らず、樹脂フィルム、ティッシュ、伸縮シート、若しくはそれらの積層体、又はそれらを適宜つなぎ合わせたシート部材を用いてもよい。また、内面シートと外面シートは、一枚のシートを折り返して形成しても良い。
【００１４】
腹部材２及び背部材３に接合された股部材４を折り曲げて、腹部材２及び背部材３を重ね合わせて、両部材２，３の左右端部を接合されることにより、パンツ型の使い捨て下着１が形成される。より詳細には、腹部材２及び背部材３の左端部２ａ，３ａに沿って左接合部５ａが形成され、腹部材２及び背部材３の右端部２ｂ，３ｂに沿って右の接合部５ｂが形成される。左右の接合部５ａ，５ｂは、ホットメルト接着剤などの接着剤により形成してもよいし、熱シール、超音波シールなどの各種シール方法により形成してもよい。
【００１５】
使い捨て下着１の腰開口部６は、腹部材２の上端の腰側縁７及び背部材３の上端の腰側縁８に囲まれて形成される。左の脚開口部９ａは、腹部材２の下端の股側縁１０と、背部材３の下端の股側縁１１と、股部材４の左側縁４ａとに囲まれて形成される。右の脚開口部９ｂは、腹部材２の股側縁１０と、背部材３の股端縁１１と、股部材４の右側縁４ｂとに囲まれて形成される。
【００１６】
図１又は図２に示すように、腹部材２及び背部材３が伸展された状態では、腹部材２の腰側縁７及び背部材３の腰側縁８は、直線状であり、長さが等しい。腹部材２の左右端部２ａ，２ｂは、腰側縁７に垂直な直線状である。背部材３の左右端部３ａ，３ｂは、腰側縁８に垂直な直線状である。腹部材２の左右端部２ａ，２ｂ及び背部材３の左右端部３ａ，３ｂはいずれも、長さが等しい。腹部材２の股側縁１０及び背部材３の股側縁１１は夫々、腹部材２及び背部材３の共通の左右幅の中心線Ｃ１について左右対称である。
【００１７】
図２に示すように、腹部材２及び背部材３を分離して伸展した状態、すなわち使い捨て下着１を展開した状態では、腹部材２の股側縁１０の左半分及び右半分は、中心線Ｃ１について対称である。股側縁１０は、左端ライン１０ａ、左凹ライン１０ｂ、中間ライン１０ｃ、右凹ライン１０ｄ、及び、右端ライン１０ｅを有する。左端ライン１０ａ、中間ライン１０ｃ，及び、右端ライン１０ｅは、腰側縁７に略平行な直線状である。中間ライン１０ｃは，中心線Ｃ１により二分される。左凹ライン１０ｂは、左端ライン１０ａと中間ライン１０ｃに接続されている。左凹ライン１０ｂは、腰側縁７に近づく方向に窪んだ形状である。左凹ライン１０ｂの底部１０ｆは、腰側縁７に最も近づいている部分であって、腹部材２の中心線Ｃ１よりも左端部２ａの方に近寄った位置にある。右凹ライン１０ｄは、右端ライン１０ｅと中間ライン１０ｃに接続されている。右凹ライン１０ｄは、腰側縁７に近づく方向に窪んだ形状である。右凹ライン１０ｄの底部１０ｇは、腰側縁７に最も近づいている部分であって、腹部材２の中心線Ｃ１よりも右端部２ｂの方に近寄った位置にある。
【００１８】
図２に示すように、背部材３の股側縁１１の左半分及び右半分は、中心線Ｃ１について対称である。股側縁１１は、左端ライン１１ａ、左凸ライン１１ｂ、中間ライン１１ｃ、右凸ライン１１ｄ、及び、右端ライン１１ｅを有する。左端ライン１１ａ、中間ライン１１ｃ、及び、右端ライン１１ｅは、腰側縁８と略平行な直線状である。中間ライン１１ｃは中心線Ｃ１により二分される。左凸ライン１１ｂは、左端ライン１１ａと中間ライン１１ｃに接続されている。左凸ライン１１ｂは、腰側縁８から離れる方向に突出した形状である。左凸ライン１１ｂの頂部１１ｆは、腰側縁８から最も離れている部分であって、背部材３の左端部３ａよりも中心線Ｃ１の方に近寄った位置にある。右凸ライン１１ｄは、右端ライン１１ｅと中間ライン１１ｃに接続されている。右凸ライン１１ｄは、腰側縁８から離れる方向に突出した形状である。右凸ライン１１ｄの頂部１１ｇは、腰側縁８から最も離れている部分であって、背部材３の右端部３ｂよりも中心線Ｃ１の方に近寄った位置にある。
【００１９】
図２に示すように、腹部材２の中心線Ｃ１で二分した股側縁１０の左半分は、背部材３の中心線Ｃ１で二分した股側縁１１の右半分と同じ形状である。股側縁１０の左端ライン１０ａ、左凸ライン１０ｂ、底部１０ｆ、及び、中間ライン１０ｃの左半分は、夫々、股側縁１１の中間ライン１１ｃの右半分、右凸ライン１１ｄ、頂部１１ｇ、及び、右端ライン１１ｅと同じ形状である。すなわち、腹部材２の股側縁１０の左半分を、左右方向及び接近方向に移動させて、背部材３の股側縁１１の右半分に突き合わせたときに、両者の形状は一致する。
【００２０】
図２に示すように、腹部材２の中心線Ｃ１で二分した股側縁１０の右半分は、背部材３の中心線Ｃ１で二分した股側縁１１の左半分と同じ形状である。股側縁１０の右端ライン１０ｅ、右凸ライン１０ｄ、底部１０ｇ、及び、中間ライン１０ｃの右半分は、夫々、股側縁１１の中間ライン１１ｃの左半分、左凸ライン１１ｂ、頂部１１ｆ、及び、左端ライン１１ａと同じ形状である。すなわち、腹部材２の股側縁１０の右半分を、左右方向及び接近方向に移動させて、背部材３の股側縁１１の左半分に突き合わせたときに、両者の形状は一致する。
【００２１】
使い捨て下着１の腹部材２は、腰側縁７及び股側縁１０間の距離が最も短い左右の底部１０ｆ，１０ｇが夫々、腹部材２の中心線Ｃ１よりも左右端部２ａ，２ｂの方に近寄った位置にある。これにより、腹部材２の左右の底部１０ｆ，１０ｇ間にある下方突出部分の左右幅を広くできるので、腹部材２における着用者の鼠蹊部及びその周辺を覆う領域の左右幅を広くできる。このようにして、使い捨て下着１は、腹部材２の適切な形状を実現できる。
【００２２】
更に、使い捨て下着１では、腹部材２の腰側縁７及び股側縁１０間の距離は、腹部材２の左右端部２ａ，２ｂの位置よりも、腹部材２の中心線Ｃ１の位置の方が長い。これにより、腹部材２の中央の下方突出部分の上下長も大きくできる。このようにして、使い捨て下着１は、着用者の鼠蹊部及びその周辺を覆う領域の左右幅及び上下高を広くした、腹部材２の適切な形状を実現できる。
【００２３】
使い捨て下着１の背部材３は、左右端ライン１１ａ，１１ｅに夫々続く左右凸ライン１１ｂ，１１ｄが腰側縁８から離れる方向に突出するので、背部材３の下方突出部分の左右幅を広くできる。また、背部材３は、腰側縁８及び股側縁１１間の距離が最も長い頂部１１ｆ，１１ｇが夫々、背部材３の左右端部３ａ，３ｂよりも中心線Ｃ１の方に近寄った位置にある。これにより、股部材４を接合された背部材３の中央部の近くに、背部材３の下方突出部分の頂部１１ｆ，１１ｇを位置させることができる。背部材３の中央部は股部材４で覆われているので、背部材３の中間ライン１１ｃが凹んでいても問題はない。このようにして、使い捨て下着１は、着用者の尻部を覆う部分の左右幅及び上下高を広くした、背部材３の適切な形状を実現できる。
【００２４】
更に、使い捨て下着１では、股部材４は、背部材３の股側縁１１の左右凸ライン１１ｂ，１１ｄの夫々の最も腰側縁８から離れている部分である頂部１１ｆ，１１ｇの一部に、重なっている。これにより、股部材４と背部材３との境界に凹みが生じないので、排泄物等の漏れをより防止可能とした、背部材３の適切な形状を実現できる。
【００２５】
更に、使い捨て下着１では、背部材３の股側縁１１の頂部１１ｆ，１１ｇから中間ライン１１ｃまでの凹みの深さを、背部材３の左右端部３ａ，３ｂから頂部１１ｇまでの突出の高さよりも相当に小さくしている。これにより、背部材３の中央部の凹みを小さくして、見栄えを良くすることができる。また、背部材３の中央部の凹みが小さいので、背部材３の中央部に股部材４を接着するのが比較的容易である。
【００２６】
図１及び図２に示すように、腹部材２及び背部材３には夫々、左右方向に伸縮するウエストフィット弾性体１２ａ，１２ｂ及びボディフィット弾性体１３ａ，１３ｂが設けられている。また、腹部材２には、レッグフィット弾性体１４と、レッグフィット弾性体１５の一部とが設けられている。背部材３には、レッグフィット弾性体１５の一部が設けられている。
【００２７】
ウエストフィット弾性体１２ａは、腹部材２の腰側縁７近辺に、左端部２ａから右端部２ｂまでの略全体にわたって配置され、伸長された状態で腹部材２に接合される。ウエストフィット弾性体１２ｂは、背部材３の腰側縁８近辺に、左端部３ａから右端部３ｂまでの略全体にわたって配置され、伸長された状態で背部材３に接合される。
図示しないが、静置された使い捨て下着１では、ウエストフィット弾性体１２ａ，１２ｂが収縮しているので、腹部材２及び背部材３のウエストフィット弾性体１２ａ，１２ｂが接合された領域にウエストギャザーが形成される。ウエストギャザーは、使い捨て下着１の腰開口部６を着用者に適度に密着させて、おむつ１のずり下がりや、腰開口部６からの排泄物等の漏れを防止する。
【００２８】
ボディフィット弾性体１３ａは、腹部材２のウエストフィット弾性体１２ａが接合された領域より股側縁１０側に、左端部２ａから右端部２ｂまでの略全体にわたって配置され、伸長された状態で腹部材２に接合される。ボディフィット弾性体１３ｂは、背部材３のウエストフィット弾性体１２ｂが接合された領域より股側縁１１側に、左端部３ａから右端部３ｂまでの略全体にわたって配置され、伸長された状態で背部材３に接合される。
図示しないが、静置された使い捨て下着１では、ボディフィット弾性体１３ａ，１３ｂが収縮しているので、腹部材２及び背部材３のボディフィット弾性体１３ａ、１３ｂが接合された領域にボディフィットギャザーが形成される。ボディフィットギャザーは、使い捨て下着１の腹部材２及び背部材３を着用者に適度に密着させ、フィット性を高め、排泄物等の漏れを防止する。
【００２９】
レッグフィット弾性体１４は、腹部材２の股側縁１０の中間ライン１０ｃ及び左右凹ライン１０ｂ，１０ｄに沿って延び、底部１０ｆ，１０ｇ手前から股側縁１０を離れて斜めに上昇し、ボディフィット弾性体１３ａの領域内の上部に沿って腹部材２の左右端部２ａ，２ｂまで延びるように、蛇行して配置され、伸長された状態で腹部材２に接合される。
レッグフィット弾性体１５は、背部材３の股側縁１１の左端ライン１１ａ及び左凸ライン１１ｂに沿って延びて頂部１１ｆに交差する部分１５ａと、背部材３の股側縁１１の右端ライン１１ｅ及び右凸ライン１１ｄに沿って延びて頂部１１ｇに交差する部分１５ｂと、腹部材２においてレッグフィット弾性体１４の下に間隔を空けて並行して延びる左右の部分１５ｃ，１５ｄと、を有する。
図示しないが、静置された使い捨て下着１ではレッグフィット弾性体１４，１５が収縮しているので、腹部材２の股側縁１０近辺及び背部材３の股側縁１１近辺のレッグフィット弾性体１４又は１５が接合された領域にレッグギャザーが形成される。レッグギャザーは、使い捨て下着１の左右の脚開口部９ａ，９ｂを着用者に適度に密着させ、脚開口部９ａ，９ｂからの排泄物等の漏れを防止する。
【００３０】
ウエストフィット弾性体１２ａ，１２ｂ、ボディフィット弾性体１３ａ、１３ｂ、及び、レッグフィット弾性体１４，１５はいずれも、一群の複数の糸状の弾性体からなる。各糸状の弾性体は、天然ゴム、ポリウレタン系樹脂、伸縮性ホットメルト等の伸縮可能な材料により形成される。なお、各弾性体１２，１３，１４，１５は、糸状の弾性体に限らず、帯状の弾性体や、シート状の弾性体を使用してもよい。また、腹部材２又は背部材３の全体を伸縮性シートなどの素材で形成してもよい。シート状の弾性体を使用する場合や、腹部材２又は背部材３の全体を伸縮性シートなどの素材で形成する場合は、各弾性体１２，１３，１４，１５の所望の方向に張力が働くようにする必要がある。
【００３１】
図２において、腹部材２の股側縁１０の中間ライン１０ｃ付近の領域には、レッグフィット弾性体１４の張力を減殺する加工を施してもよい。これにより、弾性体１４の張力によって股部材４が変形したり縮んだりするのが抑制される。弾性体の張力を減殺する加工としては、例えば、多数の凸部やカッター刃等により弾性体を細かく分断すること、弾性体を細かく熱シールすること等を、適宜選択してよい。
【００３２】
図２に示すように、股部材４は、略長方形状であり、股部材４と腹部材２の重なる部分及び股部材４と背部材３の重なる部分は夫々、接着剤などにより接合される。股部材４の長手方向の各端縁は、腹部材２又は背部材３のウエストフィット弾性体１２ａ，１２ｂの領域とボディフィット弾性体１３ａ，１３ｂの領域との境界付近に位置する。なお、股部材４の形状は、略長方形状に限られず、長手方向の両端縁が曲線である帯状であってもよい。股部材４が腹部材２又は背部材３に重ねて接合される部分の位置及び大きさは、上記に限られず、使い捨ておむつのサイズや形状に合わせて適宜変更してよい。
【００３３】
図３は、図２に示す股部材４のＩＩＩ−ＩＩＩ線に沿った模式的な断面図である。
図２及び図３に示すように、股部材４は、トップシート２１と、吸収体２２と、バックシート２３と、左右のギャザーシート２４，２４と、立体ギャザー弾性体２５と、股部弾性体２６と、カバーシート２７とを備えている。
トップシート２１は、不織布などの液透過性材料により形成されており、着用者の肌側に位置し、吸収体２２の上面全体を覆っており、尿や血液等を透過させる。吸収体２２は、吸収紙、綿状パルプ、粒子状や繊維状の高分子吸収材などを組合せて形成されており、トップシート２１を透過した尿や血液等を吸収し、その内部に保持する。吸収体２２は、砂時計形状であり、吸収体２２の背側の幅広部は腹側の幅広部よりも面積が大きくなっている。吸収体２２の形状や大きさは、上記に限られず、使い捨ておむつのサイズや形状に合わせて適宜選択してよい。バックシート２３は、ポリエチレンフィルムなどの液不透過性材料により形成されており、吸収体２２の下面全体を覆っており、排泄物や血液等が外部に漏出することを防止する。
【００３４】
ギャザーシート２４，２４は、不織布や、不織布にポリエチレンフィルムなどを貼り合せた材料により形成されており、二つ折りしたシートの両開放端部をバックシート２３の左右側部に接合される。立体ギャザー弾性体２５は、ギャザーシート２４，２４の折り返した内側に、股部材４の長手方向に伸長した状態で接合されている。これにより、股部材４の左右側部に立体ギャザーが形成され、股部材４から排泄物などが漏れるのを防止する。本実施形態では、左右各３本の立体ギャザー弾性体２５が設けられているが、本数はこれに限られない。
【００３５】
股部弾性体２６，２６は、左右のギャザーシート２４，２４とバックシート２３との間に、股部材４の長手方向に伸長した状態で接合されている。股部弾性体２６，２６は、吸収体２２の左右両端に沿うように配置される。排泄物により股部材４内部の重量が増加したときに、股部弾性体２６，２６の張力により吸収体２２の左右端部を引き上げて、股部材４と着用者との間に隙が生じるのを防止する。また、股部弾性体２６，２６は、着用者の鼠径部に沿って定位するので、股部材４を着用者の股間部に密接させ、良好なフィット性及び防漏性を実現できる。なお、本実施形態の股部弾性体２６は、吸収体２２の左右両端に沿うように直線状に１本ずつ配置されたが、これに限らず、複数本ずつ配置してもよいし、曲線状に配置してもよい。
【００３６】
立体ギャザー弾性体２５及び股部弾性体２６は、上述の弾性体１２，１３，１４，１５と同様に、天然ゴム、ポリウレタン樹脂、伸縮性のホットメルト等の伸縮可能な糸状の材料により形成されている。また、弾性体２５，２６は、糸状の弾性体に限らず、帯状の弾性体や、シート状の弾性体を使用してもよい。また、ギャザーシート２４全体を伸縮性シートなどの素材で形成してもよい。シート状の弾性体を使用する場合や、腹部材２又は背部材３の全体を伸縮性シートなどの素材で形成する場合は、図２及び図３に示した弾性体の延在する方向に張力が働くように形成する必要がある。
【００３７】
カバーシート２７は、股部材４の最外層に配置され、バックシート２３と左右のギャザーシート２４，２４との各接合部の境界を覆っている。カバーシート２７の外側（衣類側）は、腹部材２及び背部材３の外面シートやギャザーシート２４と同じ不織布等の材料を用いてもよい。同じ不織布を用いることによって、使い捨て下着１全体の外観や肌ざわりを統一することができる。なお、カバーシート２７を設けずに、バックシート２３を股部材４の最外層に配置してもよい。また、カバーシート２７とギャザーシート２４とを一体のシートで形成してもよい。
【００３８】
次に、本実施形態の使い捨て下着１の製造方法について、図面を参照して説明する。
図４は、使い捨て下着１の製造用の積層ウェブの一部を示す平面図である。図５は、該積層ウェブを切断して形成された２つの半ウェブが、ウェブ幅方向に離間されると共にウェブ流れ方向に半周期ずらして配置されたものを示す平面図である。図６は、２つの半ウェブに股部材が接合されたものを示す平面図である。図７は、股部材を折って２つの半ウェブが重ね合わされ、１周期毎に接合されたものを示す平面図である。説明の便宜のため、図７には、図６に示す半ウェブ１０１の上に半ウェブ１０２を重ねたものを反転させたもの、すなわち、半ウェブ１０２の上に半ウェブ１０１を重ねたものを示している。各図において、ウェブの長手方向がウェブ流れ方向であり、ウェブ流れ方向に直交する方向がウェブ幅方向である。各図に示された各ウェブ、腹部材、背部材、股部材は、弾性体が収縮せずに、伸長された状態で示されている。
【００３９】
まず、図４に示すように、腹部材２及び背部材３の内面シートを形成する内面ウェブ１００ａと、腹部材２及び背部材３の外面シートを形成する外面ウェブ１００ｂとの間に、各弾性体１２，１３，１４，１５を挟んで、内面ウェブ１００ａ及び外面ウェブ１００ｂを重ね合わせて接合して、積層ウェブ１００を形成する。このとき、各弾性体１２，１３，１４，１５の表面に接着剤が塗布されていてもよいし、内面ウェブ１００ａ及び外面ウェブ１００ｂまたはその両方の各弾性体を挟む面に接着剤が塗布されていてもよい。また、各弾性体を内面、外面ウエブに熱シールなどで固定しても良い。弾性体１２，１３，１４，１５は夫々、所望の張力となるように伸長された状態で、且つ後述する切断線Ｄ１との関係で適切な位置及び形状に配置されて、内面ウェブ１００ａ又は外面ウェブ１００ｂに接合される。
【００４０】
切断線Ｄ１は、腹部材２の股側縁１０が周期的に連続する線であり、かつ、これと半周期ずらした背部材３の股側縁１１が連続する線でもある。切断線Ｄ１の形状を適切に設計することによって、製造時の材料の重複部分や機能しない部分を減らして、かつ、不足する部分がないように、切断線Ｄ１で切断して形成される腹部材２及び背部材３の両方の適切な形状を実現できる。
図４に示すように、切断線Ｄ１は、ウェブ流れ方向に対して蛇行した形状を有する。詳細に説明すると、切断線Ｄ１は、ウェブ流れ方向に略平行な中間ライン１１ｃ及び１０ｃが夫々、ウェブ幅方向の中心線を挟んで交互に配置されており、これら中間ライン１１ｃ及び１０ｃの流れ方向間に、頂部１１ｆ又は１１ｇを有する山部が配置された形状となっている。頂部１１ｆ及び１１ｇは、中間ライン１０ｃよりも中間ライン１１ｃ寄りの位置にあり、中間ライン１１ｃを挟んで鏡映対称な形状である。中間ライン１０ｃ又は１１ｃと、頂部１１ｆ又は１１ｇとの間は、傾斜部で繋がれている。傾斜部は、直線状であるが、緩やかな曲線状でもよい。中間ライン１０ｃ又は１１ｃと、頂部１１ｆ又は１１ｇと、各傾斜部との境界は夫々、緩やかな曲線状であることが好ましい。
【００４１】
図４に示すように、弾性体１４、１５は、ウェブ流れ方向に対して蛇行した形状に、並行して配置される。弾性体１４，１５は、切断線Ｄ１の中間ライン１０ｃを挟んでこれに沿って延びる部分と、切断線Ｄ１の中間ライン１０ｃの両側の傾斜部に沿って延びた後、該傾斜部を離れて、弾性体１３の配置された領域まで延びる傾斜部分と、これら傾斜部分の間を繋ぐ中間部分とを有する。弾性体１４，１５の前記各部分は、略直線状であるが、緩やかな曲線状でもよい。また、弾性体１４，１５の前記各部分の境界部分は、緩やかな曲線状であることが好ましい。弾性体１４，１５の前記中間部分は、弾性体１２、１３に対して平行する略直線形状である。これにより、積層ウェブ１００が弾性体１４，１５の影響によって幅方向に収縮してしわが発生することを抑制することが可能となる。
弾性体１５は、前記傾斜部分の前記中間部分近傍で、切断線Ｄ１に交差しており、切断線Ｄ１で切断される。蛇行した形状の弾性体１５が、前記傾斜部分の前記中間部分近傍で切断線Ｄ１によって切断されることで、腹部材２、背部材３の縁部が弾性体の影響によって丸まることを防止できる。弾性体１５だけでなく、弾性体１４も切断線Ｄ１で切断されるようにしてもよい。
【００４２】
次に、図示しないが、積層ウェブ１００の腹部材２の中間ライン１１ｃに沿った領域に、弾性体１４の張力を減殺させる加工を行ってもよい。また、積層ウェブ１００の腹部材２の中間ライン１１ｃに沿った領域に、弾性体１５の張力を減殺させる加工を行ってもよい。当該加工により、腹部材２の中間ライン１１ｃに沿った領域に、弾性体１４、１５の張力によりしわが生じるのを防ぐことができる。弾性体の張力を減殺させる加工としては、例えば、多数の凸部やカッター刃等により弾性体を細断したり、熱シールすることなどを適宜選択してよい。なお、図５には、各股側縁１０の中間ライン１０ｃに沿った領域に、レッグフィット弾性体１４の張力を減殺させる加工が行われた、腹部材２の連続する半ウェブ１０１が示されている。
【００４３】
次に、腹部材２の股側縁１０又は背部材３の股側縁１１のいずれかを１周期としてウェブ流れ方向に連続する切断線Ｄ１に沿って、積層ウェブ１００を切断する。腹部材２の股側縁１０が周期的に連続する線と、背部材３の股側縁１１が周期的に連続する線とは、ウェブ流れ方向に互いに半周期ずらして重ねると、一致する。積層ウェブ１００を切断線Ｄ１に沿って切断することにより、腹部材２の連続する半ウェブ１０１と、背部材３の連続する半ウェブ１０２とが形成される。
【００４４】
次に、図５に示すように、腹部材２の連続する半ウェブ１０１又は背部材３の連続する半ウェブ１０２のいずれかを、ウェブ幅方向に移動させると共にウェブ流れ方向に半周期ずらして、１周期毎の半ウェブ１０１の腹部材２と半ウェブ１０２の背部材３とを夫々、対向させると共に離間させる。半ウェブ１０１と半ウェブ１０２との間隔は、各腹部材２と各背部材３とに各股部材４を重ね合わせて接合するために適切な間隔とする。なお、半ウェブ１０１又は半ウェブ１０２を、ウェブ幅方向へ移動させるのを完了した後に、ウェブ流れ方向に半周期ずらしてもよいし、又は、ウェブ幅方向へ移動させながら、ウェブ流れ方向へ半周期ずらしてもよい。半ウェブをウェブ流れ方向に半周期ずらす方法としては、当該半ウェブのウェブ流れ方向の搬送距離や速度を変えるなどの種々の方法を採用できる。
【００４５】
次に、図６に示すように、半ウェブ１０１の各腹部材２の中央部と、半ウェブ１０２の各腹部材２の中央部とに、各股部材４を重ね合わせて接合する。股部材４はホットメルトなどの接着剤により腹部材２及び背部材３に接合される。
【００４６】
次に、図７に示すように、腹部材２及び背部材３の内面シートが内側となるように、股部材４を折り曲げて、半ウェブ１０１と半ウェブ１０２とを重ね合わせる。このとき、半ウェブ１０１の各股側縁１０の左右端ライン１０ａ，１０ｅ付近の部分が半ウェブ１０２の方へ突出しているが、この突出部分は弾性体がないので弾性体の張力によるしわが生じない。そのため、半ウェブ１０１と半ウェブ１０２とを重ね合わせる際にウェブ幅方向の位置が安定するため、接合部にしわやずれが生じにくい。
【００４７】
次に、重ね合わせた半ウェブ１０１及び１０２の各周期の腹部材２及び背部材３の各左右端部に沿って各接合部５ａ，５ｂを形成する。これら接合部５ａ，５ｂにより腹部材２及び背部材３が接合される。接合部５ａ，５ｂは、腹部材２及び背部材３の腰側縁７，８と、股側縁１０，１１との間に、間欠的に又は連続的に形成される。腹部材２の股側縁１０の左右端ライン１０ａ，１０ｂ及び背部材３の股側縁１１の左右端ライン１１ａ，１１ｂは各腰側縁７，８に略平行であるので、腰側縁７，８と股側縁１０，１１との間の略全長に亘って、且つ十分な幅で、接合部５ａ，５ｂを形成することができる。左右の接合部５ａ，５ｂは、ホットメルト接着剤などの接着剤により形成してもよいし、熱シール、超音波シールなどの各種シール方法により形成してもよい。
【００４８】
次に、重ね合わせた半ウェブ１０１及び１０２の隣接する接合部５ａ及び５ｂの間で切断することにより、図１に示すパンツ型使い捨て下着１が、ウェブ流れ方向に同じ向きで連続的に製造される。
上述のように、本実施形態によれば、材料の無駄が少なく、腹側形状及び背側形状が共に適切である使い捨て下着を提供することができる。また、そのような使い捨て下着を連続的に製造する方法を提供することができる。
【００４９】
（第２実施形態）
次に、本発明の他の実施形態の使い捨て下着について、図面を参照して説明する。
図８は、他の実施形態の使い捨て下着３１の正面図である。図９は、図８に示す使い捨て下着３１の展開図である。図１０は、図８に示す使い捨て下着３１の製造用の積層ウェブ３００の一部を示す平面図である。これらの図に示す各部材は、弾性体が収縮せず、伸展した状態で示されている。使い捨て下着３１の構成要素であって、使い捨て下着１と同じ構造及び機能を有する構成要素は、同じ名称又は符号を使用し、説明を適宜省略する。
【００５０】
図８及び図９に示すように、使い捨て下着３１は、パンツ型の使い捨ておむつである。使い捨て下着３１は、着用者の胴体の前側に位置する腹部材３２と、着用者の胴体の後側に位置する背部材３３と、腹部材３２の内面側の中央部と背部材３３の内面側の中央部とに接合され、着用者の股間に位置する股部材４とを備える。股部材４は、使い捨て下着１と同じものを使用してよい。腹部材３２及び背部材３３は、着用者の肌側に位置する内面シートと、着用者の衣服側に位置する外面シートとを、ウエストフィット弾性体４２，ボディフィット弾性体４３，レッグフィット弾性体４４及び４５を間に挟んで、重ね合わせて接合して形成される。腹部材３２及び背部材３３の内面シート及び外面シートの材料は、腹部材２及び背部材３の内面シート及び外面シートの材料と同じものを使用してよい。
【００５１】
使い捨て下着３１は、腹部材３２及び背部材３３に接合された股部材４を折り曲げて、腹部材３２及び背部材３３を重ね合わせて左右端部を接合されて、パンツ型おむつに形成される。腹部材３２及び背部材３３の左端部３２ａ，３３ａに沿って左接合部３５ａが形成され、腹部材３２及び背部材３３の右端部３２ｂ，３３ｂに沿って右の接合部３５ｂが形成される。左右の接合部３５ａ，３５ｂは、使い捨て下着１の左右の接合部５ａ，５ｂと同様の各種シール方法により形成してよい。
【００５２】
使い捨て下着１の腰開口部３６は、腹部材３２の上端の腰側縁３７及び背部材３３の上端の腰側縁３８に囲まれて形成される。左の脚開口部３９ａは、腹部材３２の下端の股側縁４０と、背部材３３の下端の股側縁４１と、股部材４の左側縁４ａとに囲まれて形成される。右の脚開口部３９ｂは、腹部材３２の股側縁４０と、背部材３３の股端縁４１と、股部材４の右側縁４ｂとに囲まれて形成される。
【００５３】
図８又は図９に示すように、腹部材３２及び背部材３３が伸展された状態では、腹部材３２の腰側縁３７及び背部材３３の腰側縁３８は、直線状であり、長さが等しい。腹部材３２の左右端部３２ａ，３２ｂは、腰側縁３７に垂直な直線状である。背部材３３の左右端部３３ａ，３３ｂは、腰側縁３８に垂直な直線状である。腹部材３２の左右端部３２ａ，３２ｂ及び背部材３３の左右端部３３ａ，３３ｂはいずれも、長さが等しい。腹部材３２の股側縁４０及び背部材３３の股側縁４１は夫々、腹部材３２及び背部材３３の共通の左右幅の中心線Ｃ２について左右対称である。
【００５４】
図９に示すように、腹部材３２及び.背部材３３を分離して伸展した状態、すなわち使い捨て下着３１を展開した状態では、腹部材３２の股側縁４０の左半分及び右半分は、中心線Ｃ２について対称である。股側縁４０は、左端ライン４０ａ、左凹ライン４０ｂ、中間ライン４０ｃ、右凹ライン４０ｄ、及び、右端ライン４０ｅを有する。左端ライン４０ａ、中間ライン４０ｃ，及び、右端ライン４０ｅは、腰側縁７に略平行な直線状である。中間ライン４０ｃは，中心線Ｃ２により二分される。左凹ライン４０ｂは、左端ライン４０ａと中間ライン４０ｃに接続されている。左凹ライン４０ｂは、腰側縁３７に近づく方向に窪んだ形状である。左凹ライン４０ｂの底部４０ｆは、腰側縁３７に最も近づいている部分であって、腹部材３２の中心線Ｃ２よりも左端部３２ａの方に近寄った位置にある。右凹ライン４０ｄは、右端ライン４０ｅと中間ライン４０ｃに接続されている。右凹ライン４０ｄは、腰側縁３７に近づく方向に窪んだ形状である。右凹ライン４０ｄの底部４０ｇは、腰側縁３７に最も近づいている部分であって、腹部材３２の中心線Ｃ２よりも右端部３２ｂの方に近寄った位置にある。
【００５５】
図９に示すように、背部材３３の股側縁４１の左半分及び右半分は、中心線Ｃ２について対称である。股側縁４１は、左端ライン４１ａ、左凸ライン４１ｂ、中間ライン４１ｃ、右凸ライン４１ｄ、及び、右端ライン４１ｅを有する。左端ライン４１ａ、中間ライン４１ｃ、及び、右端ライン４１ｅは、腰側縁３８と略平行な直線状である。中間ライン４１ｃは中心線Ｃ２により二分される。左凸ライン４１ｂは、左端ライン４１ａと中間ライン４１ｃに接続されている。左凸ライン４１ｂは、腰側縁３８から離れる方向に突出した形状である。左凸ライン４１ｂの頂部４１ｆは、腰側縁３８から最も離れている部分であって、背部材３３の左端部３３ａよりも中心線Ｃ２の方に近寄った位置にある。右凸ライン４１ｄは、右端ライン４１ｅと中間ライン４１ｃに接続されている。右凸ライン４１ｄは、腰側縁３８から離れる方向に突出した形状である。右凸ライン４１ｄの頂部４１ｇは、腰側縁３８から最も離れている部分であって、背部材３３の右端部３３ｂよりも中心線Ｃ２の方に近寄った位置にある。
【００５６】
図９に示すように、腹部材３２の中心線Ｃ２で二分した股側縁４０の左半分は、背部材３３の中心線Ｃ２で二分した股側縁４１の右半分と同じ形状である。股側縁４０の左端ライン４０ａ、左凸ライン４０ｂ、底部４０ｆ、及び、中間ライン４０ｃの左半分は、夫々、股側縁４１の中間ライン４１ｃの右半分、右凸ライン４１ｄ、頂部４１ｇ、及び、右端ライン４１ｅと同じ形状である。すなわち、腹部材３２の股側縁４０の左半分を、左右方向及び接近方向に移動させて、背部材３３の股側縁４１の右半分に突き合わせたときに、両者の形状は一致する。
【００５７】
図９に示すように、腹部材３２の中心線Ｃ２で二分した股側縁４０の右半分は、背部材３３の中心線Ｃ２で二分した股側縁４１の左半分と同じ形状である。股側縁４０の右端ライン４０ｅ、右凸ライン４０ｄ、底部４０ｇ、及び、中間ライン４０ｃの右半分は、夫々、股側縁４１の中間ライン４１ｃの左半分、左凸ライン４１ｂ、頂部４１ｆ、及び、左端ライン４１ａと同じ形状である。すなわち、腹部材３２の股側縁４０の右半分を、左右方向及び接近方向に移動させて、背部材３３の股側縁４１の左半分に突き合わせたときに、両者の形状は一致する。
【００５８】
使い捨て下着１は、腹部材２の腰側縁７及び股側縁８間の距離が、腹部材２の左右端部２ａ，２ｂの位置よりも、腹部材２の中心線Ｃ１の位置の方が、長い。これに対して、使い捨て下着３１は、腹部材３２の腰側縁３７及び股側縁３８間の距離が、腹部材３２の左右端部３２ａ，３２ｂの位置と、腹部材３２の中心線Ｃ２との位置とで、等しい。
【００５９】
使い捨て下着３１の腹部材３２は、腰側縁３７及び股側縁４０間の距離が最も短い左右の底部４０ｆ，４０ｇが夫々、腹部材３２の中心線Ｃ２よりも左右端部３２ａ，３２ｂの方に近寄った位置にある。これにより、腹部材３２の左右の底部４０ｆ，４０ｇ間にある下方突出部分の左右幅を広くできるので、腹部材３２における着用者の鼠蹊部及びその周辺を覆う領域の左右幅を広くできる。このようにして、使い捨て下着３１は、腹部材３２の適切な形状を実現できる。
【００６０】
使い捨て下着３１の背部材３３は、左右端ライン４１ａ，４１ｅに夫々続く左右凸ライン４１ｂ，４１ｄが腰側縁３８から離れる方向に突出するので、背部材３３の下方突出部分の左右幅を広くできる。また、背部材３３は、腰側縁３８及び股側縁４１間の距離が最も長い頂部４１ｆ，４１ｇが夫々、背部材３３の左右端部３３ａ，３３ｂよりも中心線Ｃ２の方に近寄った位置にある。これにより、股部材４を接合された背部材３３の中央部の近くに、背部材３３の下方突出部分の頂部４１ｆ，４１ｇを位置させることができる。背部材３３の中央部は股部材４で覆われているので、背部材３３の中間ライン４１ｃが凹んでいても問題はない。このようにして、使い捨て下着３１は、着用者の尻部を覆う部分の左右幅及び上下高を十分に広くした、背部材３３の適切な形状を実現できる。
【００６１】
更に、使い捨て下着３１では、腰側縁３７及び股側縁４０間の距離が左右端部３２ａ，３２ｂ,３３ａ，３３ｂで最も長くなっている。このため、より接合部の長いトランクスタイプのような形状も可能となる。
【００６２】
図８及び図９に示すように、腹部材３２及び背部材３３には夫々、左右方向に伸縮するウエストフィット弾性体４２ａ，４２ｂ及びボディフィット弾性体４３ａ，４３ｂが設けられている。また、腹部材３２には、レッグフィット弾性体４４と、レッグフィット弾性体４５の一部とが設けられている。背部材３３には、レッグフィット弾性体４５の一部が設けられている。
【００６３】
ウエストフィット弾性体４２ａは、腹部材３２の腰側縁３７近辺に、左端部３２ａから右端部３２ｂまでの略全体にわたって配置され、伸長された状態で腹部材３２に接合される。ウエストフィット弾性体４２ｂは、背部材３３の腰側縁３８近辺に、左端部３３ａから右端部３３ｂまでの略全体にわたって配置され、伸長された状態で背部材３３に接合される。図示しないが、腹部材３２及び背部材３３のウエストフィット弾性体４２ａ，４２ｂが接合された領域にウエストギャザーが形成される。
【００６４】
ボディフィット弾性体４３ａは、腹部材３２のウエストフィット弾性体４２ａが接合された領域より股側縁４０側に、左端部３２ａから右端部３２ｂまでの略全体にわたって配置され、伸長された状態で腹部材３２に接合される。使い捨て下着１のボディフィット弾性体１３ａは、腹部材２の股側縁１０よりも上方に配置され、股側縁１０とは交差しない。これに対して、使い捨て下着３１のボディフィット弾性体４３ａは、左凹ライン４０ｂと右凹ライン４０ｄとの間、左凹ライン４０ｂと腹部材３２の左端部３２ａとの間、右凹ライン４０ｄと腹部材３２の右端部３２ｂとの間にも配置されている。ボディフィット弾性体４３ａは、腹部材３２の股側縁４０の左端ライン４０ａ付近、中間ライン４０ｃ付近、及び右端ライン４０ｅ付近には配置されていない。
【００６５】
ボディフィット弾性体４３ｂは、背部材３３のウエストフィット弾性体４２ｂが接合された領域より股側縁４１側に、左端部３３ａから右端部３３ｂまでの略全体にわたって配置され、伸長された状態で背部材３３に接合される。図示しないが、腹部材３２及び背部材３３のボディフィット弾性体４３ａ，４３ｂが接合された領域にボディフィットギャザーが形成される。
【００６６】
レッグフィット弾性体４４は、腹部材３２の股側縁４０の中間ライン４０ｃ及び左右凹ライン４０ｂ，４０ｄに沿って延び、底部４０ｆ，４０ｇ付近から股側縁４０を離れて斜めに上昇し、ボディフィット弾性体４３ａの領域内の上部に沿って腹部材３２の左右端部３２ａ，３２ｂまで延びるように、蛇行して配置され、伸長された状態で腹部材３２に接合される。
レッグフィット弾性体４５は、背部材３３の股側縁４１の左端ライン４１ａ及び左凸ライン４１ｂに沿って延びて頂部４１ｆに交差する部分４５ａと、背部材３３の股側縁４１の右端ライン４１ｅ及び右凸ライン４１ｄに沿って延びて頂部４１ｇに交差する部分４５ｂと、腹部材３２においてレッグフィット弾性体４４の下に間隔を空けて並行して延びる左右の部分４５ｃ，４５ｄと、を有する。
図示しないが、腹部材３２の股側縁４０近辺及び背部材３３の股側縁４１近辺のレッグフィット弾性体４４又は４５が接合された領域にレッグギャザーが形成される。
【００６７】
レッグフィット弾性体４４は、股側縁４０の中間ライン４０ｃに沿った中央部分４４ｃと、中央部分４４ｃから左右へ向かって股側縁４０に沿って上昇して延びる左右傾斜部分４４ｂ，４４ｄと、股側縁４０から離れて緩やかに湾曲しながら腹部材３２の左右端部３２ａ，３２ｂへ延びる左右の部分４４ａ，４４ｅと、を有する蛇行形状に配置され、伸長された状態で腹部材３２に接合される。
レッグフィット弾性体４５の一部は、背部材３３の左端部３３ａ及び右端部３３ｂ近辺に位置する左右の部分４５ａ，４５ａと、股側縁４１の左凸ライン４１ｄ及び右凸ライン４１ｅに沿った左右傾斜部分４５ｂ，４５ｃと、を有する形状に配置され、伸長された状態で背部材３３に接合される。レッグフィット弾性体４５の他の部分は、腹部材３２に接合されたレッグフィット弾性体４４と並行して配置され、伸長された状態で腹部材３２に接合される。
図示しないが、腹部材３２の股側縁４０近辺及び背部材３３の股側縁４１近辺のレッグフィット弾性体４４又は４５が接合された領域にレッグギャザーが形成される。
【００６８】
ウエストフィット弾性体４２、ボディフィット弾性体４３、及び、レッグフィット弾性体４４，４５は夫々、使い捨て下着１のウエストフィット弾性体１２、ボディフィット弾性体１３、及び、レッグフィット弾性体１４，１５と同様の材料や形状の弾性体を使用できる。
【００６９】
図９において、腹部材３２における股部材４が重なる領域には、ボディフィット弾性体４３ａ及び／又はレッグフィット弾性体４４の張力を減殺させる加工を施してもよい。これにより、弾性体の張力によって股部材４が変形したり縮んだりするのが抑制される。弾性体の張力を減殺させる加工としては、例えば、多数の凸部やカッター刃等により弾性体を細かく分断すること、弾性体を細かく熱シールすること等を、適宜選択してよい。
【００７０】
図９に示すように、股部材４は、使い捨て下着１の股部材４を同じものを用いることができる。股部材４の形状や、股部材４が腹部材３２又は背部材３３に重ねて接合される部分の位置及び大きさは、前記したものに限られず、使い捨ておむつ３１のサイズや形状に合わせて適宜変更してよい。
【００７１】
図１０に示すように、積層ウェブ３００は、腹部材３２及び背部材３３の内面シートを形成する内面ウェブ３００ａと、腹部材３２及び背部材３３の外面シートを形成する外面ウェブ３００ｂとの間に、各弾性体４２，４３，４４，４５を挟んで、内面ウェブ３００ａ及び外面ウェブ３００ｂを重ね合わせて接合して、形成する。弾性体４２，４３，４４，４５は夫々、所望の張力となるように伸長された状態で、且つ切断線Ｄ２との関係で適切な位置及び形状に配置されて、内面ウェブ３００ａ又は外面ウェブ３００ｂに接合される。
使い捨ておむつ３１は、積層ウェブ３００を用いて、使い捨ておむつ１と同様の製造方法により製造可能である。図１０に示すように、本実施の形態では、弾性体４４、４５は、ウェブ流れ方向に対して、蛇行した形状に配置されるが、先の実施形態の弾性体１４，１５に比べて、ウェブ流れ方向に平行な直線部分が少なく、全体が緩やかな曲線状に配置されている。
【００７２】
本発明は、以上に説明した各実施形態や変形例に限られない。例えば、本発明に係る使い捨て下着は、股部材の内部に吸収体がなく、吸収体を備えた吸収パッドを装着して使用される、パッドホルダーであってもよい。
【産業上の利用可能性】
【００７３】
本発明は、材料の無駄が少なく、腹側形状及び背側形状が共に適切である使い捨て下着及びその製造方法に有用である。
【符号の説明】
【００７４】
１，３１・・・使い捨て下着、  ２，３２・・・腹部材、  ２ａ，３２ａ・・・腹部材の左端部、  ２ｂ，３２ｂ・・・腹部材の右端部、    ３，３３・・・背部材、  ３ａ，３３ａ・・・背部材の左端部、  ３ｂ，３３ｂ・・・背部材の右端部、  ４・・・股部材、  ５ａ，５ｂ，３５ａ，３５ｂ・・・接合部、  ６，３６・・・腰開口部、
７，３７・・・腹部材の腰側縁、  ８，３８・・・背部材の腰側縁、  ９ａ，９ｂ，３９ａ，３９ｂ・・・左右の脚開口部、  １０，４０・・・腹部材の股側縁、  １０ｂ，４０ｂ・・・左凹ライン、  １０ｄ，４０ｄ・・・右凹ライン、  １１，４１・・・背部材の股側縁、  １１ｂ，４１ｂ・・・左凸ライン、  １１ｄ，４１ｄ・・・右凸ライン、    １２,  １２ａ，１２ｂ，４２，４２ａ，４２ｂ・・・ウエストフィット弾性体、  
１３,  １３ａ，１３ｂ，４３，４３ａ，４３ｂ・・・ボディフィット弾性体、  
１４，１５，１５ａ，１５ｂ，１５ｃ，４４，４５，４５ａ，４５ｂ，４５ｃ・・・レッグフィット弾性体、  Ｃ１，Ｃ２・・・中心線、  Ｄ１，Ｄ２・・・切断線、
１００，３００・・・積層ウェブ、  
１００ａ，３００ａ・・・内側ウェブ、  １００ｂ，３００ｂ・・・外側ウェブ、  
１０１・・・腹部材の連続する半ウェブ、  １０２・・・背部材の連続する半ウェブ
【図１】
2017176658.tif 000003
【図２】
2017176658.tif 000004
【図３】
2017176658.tif 000005
【図４】
2017176658.tif 000006
【図５】
2017176658.tif 000007
【図６】
2017176658.tif 000008
【図７】
2017176658.tif 000009
【図８】
2017176658.tif 000010
【図９】
2017176658.tif 000011
【図１０】
2017176658.tif 000012
【手続補正書】
【提出日】平成28年8月29日(2016.8.29)
【手続補正１】
【補正対象書類名】特許請求の範囲
【補正対象項目名】請求項１
【補正方法】変更
【補正の内容】
【請求項１】
腹部材と、該腹部材の左右端部に夫々接合される左右端部を有する背部材と、該腹部材及び該背部材の両中央部に接合される股部材とを備える使い捨て下着において、
該腹部材及び該背部材は夫々、少なくとも左右方向に伸縮する弾性体を有し、
該腹部材及び該背部材を分離して伸展した状態で、
該腹部材の股側縁の左半分が該背部材の股側縁の右半分と同じ形状であり、
該腹部材の該股側縁の右半分が該背部材の該股側縁の左半分と同じ形状であり、
該腹部材の該股側縁の左半分及び右半分は該腹部材の中心線について対称であり、
該腹部材の該股側縁の左半分及び右半分は夫々、該中心線及び該各左右端部より該腹部材の腰側縁に近づく方向に窪んだ形状であり且つ該腰側縁に最も近づいている底部が該中心線及び該左右端部を除いた該左右端部に近寄った位置にある左凹ライン及び右凹ラインを有し、
該背部材の該股側縁の左半分及び右半分は該背部材の中心線について対称であり、
該背部材の該股側縁の左半分及び右半分は夫々、該中心線及び該各左右端部より該背部材の腰側縁から離れる方向に突出した形状であり且つ該腰側縁から最も離れている頂部が該中心線及び該左右端部を除いた該中心線に近寄った位置にある左凸ライン及び右凸ラインを有することを特徴とする使い捨て下着。
【手続補正２】
【補正対象書類名】明細書
【補正対象項目名】０００８
【補正方法】変更
【補正の内容】
【０００８】
本発明の一態様は、腹部材と、該腹部材の左右端部に夫々接合される左右端部を有する背部材と、該腹部材及び該背部材の両中央部に接合される股部材とを備える使い捨て下着を提供する。該腹部材及び該背部材は夫々、少なくとも左右方向に伸縮する弾性体を有する。該腹部材及び該背部材を分離して伸展した状態で、該腹部材の股側縁の左半分が該背部材の股側縁の右半分と同じ形状であり、該腹部材の該股側縁の右半分が該背部材の該股側縁の左半分と同じ形状である。該腹部材の該股側縁の左半分及び右半分は該腹部材の中心線について対称である。該腹部材の該股側縁の左半分及び右半分は夫々、該中心線及び該各左右端部より該腹部材の腰側縁に近づく方向に窪んだ形状であり且つ該腰側縁に最も近づいている底部が該中心線及び該左右端部を除いた該左右端部に近寄った位置にある左凹ライン及び右凹ラインを有する。該背部材の該股側縁の左半分及び右半分は該背部材の中心線について対称である。該背部材の該股側縁の左半分及び右半分は夫々、該中心線及び該各左右端部より該背部材の腰側縁から離れる方向に突出した形状であり且つ該腰側縁から最も離れている頂部が該中心線及び該左右端部を除いた該中心線に近寄った位置にある左凸ライン及び右凸ラインを有する。
【手続補正書】
【提出日】平成28年11月29日(2016.11.29)
【手続補正１】
【補正対象書類名】特許請求の範囲
【補正対象項目名】請求項１
【補正方法】変更
【補正の内容】
【請求項１】
腹部材と、該腹部材の左右端部に夫々接合される左右端部を有する背部材と、該腹部材及び該背部材の両中央部に接合される股部材とを備える使い捨て下着において、
該腹部材及び該背部材は夫々、少なくとも左右方向に伸縮する弾性体を有し、
該腹部材及び該背部材を分離して伸展した状態で、
該腹部材の股側縁の左半分が該背部材の股側縁の右半分と同じ形状であり、
該腹部材の該股側縁の右半分が該背部材の該股側縁の左半分と同じ形状であり、
該腹部材の該股側縁の左半分及び右半分は該腹部材の中心線について対称であり、
該腹部材の該股側縁の左半分及び右半分は夫々、該中心線及び該各左右端部より該腹部材の腰側縁に近づく方向に窪んだ形状であり且つ該腰側縁に最も近づいている各底部が該中心線及び該各左右端部を除いた位置であって該中心線よりも該各左右端部の方に近寄った位置にある、左凹ライン及び右凹ラインを有し、
該背部材の該股側縁の左半分及び右半分は該背部材の中心線について対称であり、
該背部材の該股側縁の左半分及び右半分は夫々、該中心線及び該各左右端部より該背部材の腰側縁から離れる方向に突出した形状であり且つ該腰側縁から最も離れている各頂部が該中心線及び該各左右端部を除いた位置であって該各左右端部よりも該中心線の方に近寄った位置にある、左凸ライン及び右凸ラインを有することを特徴とする使い捨て下着。
【手続補正２】
【補正対象書類名】明細書
【補正対象項目名】０００８
【補正方法】変更
【補正の内容】
【０００８】
本発明の一態様は、腹部材と、該腹部材の左右端部に夫々接合される左右端部を有する背部材と、該腹部材及び該背部材の両中央部に接合される股部材とを備える使い捨て下着を提供する。該腹部材及び該背部材は夫々、少なくとも左右方向に伸縮する弾性体を有する。該腹部材及び該背部材を分離して伸展した状態で、該腹部材の股側縁の左半分が該背部材の股側縁の右半分と同じ形状であり、該腹部材の該股側縁の右半分が該背部材の該股側縁の左半分と同じ形状である。該腹部材の該股側縁の左半分及び右半分は該腹部材の中心線について対称である。該腹部材の該股側縁の左半分及び右半分は夫々、該中心線及び該各左右端部より該腹部材の腰側縁に近づく方向に窪んだ形状であり且つ該腰側縁に最も近づいている各底部が該中心線及び該各左右端部を除いた位置であって該中心線よりも該各左右端部の方に近寄った位置にある、左凹ライン及び右凹ラインを有する。該背部材の該股側縁の左半分及び右半分は該背部材の中心線について対称である。該背部材の該股側縁の左半分及び右半分は夫々、該中心線及び該各左右端部より該背部材の腰側縁から離れる方向に突出した形状であり且つ該腰側縁から最も離れている各頂部が該中心線及び該各左右端部を除いた位置であって該各左右端部よりも該中心線の方に近寄った位置にある、左凸ライン及び右凸ラインを有する。